(57)【要約】【課題】  本発明は、打撃工具の先端工具を保持する工具保持部に関するものであり、その目的は、工具保持部の操作性を安価な構造で向上させることである。【解決手段】  係止部材５を配設するフロントカバー２外周面の穴６を設けた位置に、フロントカバー２外周面の全周に渡って溝７を設けることで達成される。【選択図】  図３
2005138195.tif 000002
【特許請求の範囲】
【請求項１】
先端工具を収納可能で、外周面に複数の穴部を有するフロントカバーと、該フロントカバーの穴部に該フロントカバーの軸方向に直交する方向に移動可能に配設され、該フロントカバー内部に突出可能な複数の係止部材と、前記フロントカバー外周に該フロントカバーの軸方向に沿ってスライド可能あるいは回動可能に設けられ、前記係止部材の外側に位置した際に該係止部材を前記フロントカバー内部に突出させた状態で移動を規制する規制面と、非規制面とを有するホルダとを有し、該フロントカバー内部に取付けられた前記先端工具端部を打撃可能な打撃機構とを備えた打撃工具であって、
前記フロントカバー外周面に前記複数の穴部を連通する溝部を設けたことを特徴とする打撃工具。
【請求項２】
前記溝部は前記フロントカバー外周面の全周に渡って形成されていることを特徴とする請求項１記載の打撃工具。
【発明の詳細な説明】
【技術分野】
【０００１】
本発明は、先端工具を保持する工具保持部を有した電気ハンマ・ハンマドリル等の打撃工具に関するものである。
【背景技術】
【０００２】
従来の打撃工具では、スチールボールやニードル等の係止部材を小さくすると共に、係止部材がフロントカバー内部に突出した状態でホルダによってフロントカバーの軸方向に対し直交する方向への移動が規制された状態、すなわちフロントカバー内部で先端工具を保持した状態では、係止部材がフロントカバー外周面からほとんど突出しない、もしくは一切突出しないようにし、グリップの握り部をできるだけ細径にするようにしていた。
【０００３】
【特許文献１】特開２００２−１３７１７６号公報
【発明の開示】
【発明が解決しようとする課題】
【０００４】
上記した従来の打撃工具では、フロントカバー内部で先端工具を保持した状態で、穴部内において係止部材上方に空間が存在するため、コンクリート等の被削材のハツリ・破砕作業を行った際に舞い上がった粉塵が僅かな隙間を通過して工具保持部内に入り、更に前記空間内に入り込んで粉塵が固着してしまうと、ホルダが係止部材の移動を規制しない位置に移動したとしても、穴部内において係止部材が容易に移動せずに、先端工具を取り外す操作性が悪くなってしまう問題があった。
【０００５】
なお、係止部材を大型化しフロントカバー外周よりも突出した構成、すなわち穴部内において係止部材上方に空間が存在しない構成とすると、上記した問題を解消することができるものであるが、この構成の場合グリップの握り部が大径となり操作性が低下してしまうものであった。
【０００６】
本発明の目的は、上記欠点を解消し、先端工具を取り外し難くなることを抑制することができる操作性の良い打撃工具を提供することである。
【課題を解決するための手段】
【０００７】
上記目的は、フロントカバー外周面に複数の穴部を連通する溝部を設けることで達成される。
【０００８】
更に、前記溝部をフロントカバー外周の全周に渡って形成することで、先端工具が取り外し難くなることを更に抑制することができる。
【発明の効果】
【０００９】
本発明によれば、複数の穴部を連通する溝部によって、穴部内の係止部材上方に位置する空間を小さくすることができると共に、工具保持部内に入り込んできた粉塵を分散させて穴部内に粉塵が入り込み難い構造とすることができ、また工具保持部の握り部を細径にでき、先端工具を取り外し難くなることを抑制することができる操作性の良い打撃工具を提供することができるようになる。
【発明を実施するための最良の形態】
【００１０】
以下本発明打撃工具の一実施形態を図１〜図４を用いて説明する。なお、図１は本発明打撃工具の一実施形態を示す要部拡大断面図で、先端工具９をフロントカバー２内部に取付けた状態を示し、図２は図１の打撃工具の一動作状態を示す要部拡大断面図で、グリップ８を移動させ先端工具９をフロントカバー２内部から取り外し可能とした状態を示し、図３は図１のＡ−Ａ線断面図、図４は本発明打撃工具を構成するフロントカバーの一実施形態を示す外観図である。
【００１１】
図１に示すように、工具本体１に固定されたフロントカバー２の内部には、先端工具９が収納可能となっている。フロントカバー２外周には、工具軸方向及びフロントカバー２の軸方向と同方向に摺動可能なボールホルダ３が設けられている。ボールホルダ３は、後方に設けられたスプリング４により、常に工具軸前方に付勢されている。
【００１２】
本発明打撃工具は、図示しない周知の打撃機構によってフロントカバー２内部に取付けられた先端工具９の後端を打撃可能な構成をしているものである。
【００１３】
フロントカバー２外周面にはフロントカバー２の軸方向に直交する方向に延びる穴部６が複数個設けられており、それぞれの穴部６内にはフロントカバー２内部に突出可能で穴部６内においてフロントカバー２の軸方向に直交する方向に移動可能な係止部材であるボール５が配設されている。穴部６のフロントカバー２内部側の形状はボール５がフロントカバー２内部に抜け落ちないようにボール５の直径よりも小さな形状をしている。本実施形態では、図３に示すように穴部６及びボール５はぞれぞれ６個設けられて、フロントカバー２の軸を中心として放射状に且つ同間隔で配置されている。
【００１４】
ボールホルダ３外周にはフロントカバー２の軸方向と同方向に移動可能に設けられたグリップ８が設けられ、グリップ８の一部はボールホルダ３の先端側端部と当接しており、グリップ８はボールホルダ３を介してスプリング４の付勢力を受けている。
【００１５】
ボールホルダ３内部には、係止部材であるボール５の半径方向外側に位置可能で穴部６内においてボール５の移動を規制する規制面３ａと、非規制面３ｂとが設けられており、図１に示すように通常の状態では、スプリング４の付勢力によってボール５の外側にはボールホルダ３の規制面３ａが位置するようになっている。
【００１６】
グリップ８を操作し、グリップ８及びボールホルダ３をスプリング４の付勢力に抗して後方側（図１の右側）に移動させると、図２に示すようにボール５の外側にボール５の移動規制を解除する非規制面３ｂが位置するようになり、ボール５は図２に示すようにフロントカバー２の軸方向に直交する方向に移動可能となる。図２に示す状態では、先端工具９をフロントカバー２から引き出す、あるいはフロントカバー２先端を地面側に向け、自重でフロントカバー２内部から先端工具９を取り外すことができるようになり、またフロントカバー２内部に先端工具９を取付け可能となる。
【００１７】
図３に示すように、フロントカバー２外周面には穴部６間を連通させる溝部７が全周に渡って設けられている。溝部７の幅寸法は穴部６の直径寸法よりも小さく形成されている。この溝部７は、型成形により形成されるものであっても機械加工によって形成されるものであっても良い。
【００１８】
図３に示すように、フロントカバー２外周面には穴部６間を連通させる溝部７を設けたことにより、穴部６内におけるボール５上方の空間を小さくすることができる。穴部６内に侵入した粉塵は、溝部７と連通していない部分においてはボール５上方に蓄積されてしまうが、溝部７と連通した部分においては溝部７にも分散されるようになるため、長時間先端工具９の着脱操作が行なわれずに工具保持部内において粉塵が固着化してしまったとしても、ボール５上方に位置しボール５の移動を妨げる粉塵の量を低減することができるため、先端工具９の取り外し操作の操作性が低減することを抑制することができる。
【００１９】
なお、本実施形態では、溝部７をフロントカバー２外周の全周に渡って形成したが、一部の穴部６間を連通させる溝部７としても、先端工具９の取り外し操作の操作性が低減することを抑制することができるものである。
【００２０】
また、本実施形態では、ホルダ３及びグリップ８がフロントカバー２の軸方向に沿って移動可能で、係止部材５をフロントカバー２内部に突出させた状態で移動を規制する規制面３ａと、非規制面３ｂとがホルダ３のスライド動作によって係止部材５の外周に配置可能な構成としたが、ホルダ３及びグリップ８をフロントカバー２外周上で回動可能で、回動位置によって規制面３ａと、非規制面３ｂとが係止部材５の外周に配置可能な構成としても良い。個の場合には、スプリング４に変えてねじりスプリングが採用されることが望ましい。
【００２１】
なお、本発明は係止部材が穴部内において上方に空間が形成され易いボール５とした場合に有効である。
【図面の簡単な説明】
【００２２】
【図１】本発明打撃工具の一実施形態を示す要部拡大断面図。
【図２】図１の打撃工具であって先端工具を着脱可能とした状態を示す要部拡大断面図。
【図３】図１のＡ−Ａ線断面図。
【図４】本発明打撃工具を構成するフロントカバーの一実施形態を示す外観図。
【符号の説明】
【００２３】
１は工具本体、２はフロントカバー、３はボールホルダ、３ａは規制面、３ｂは非規制面、４はスプリング、５はボール（係止部材）、６は穴部、７は溝部、８はグリップ、９は先端工具である。
【図１】
2005138195.tif 000003
【図２】
2005138195.tif 000004
【図３】
2005138195.tif 000005
【図４】
2005138195.tif 000006